(57)【特許請求の範囲】
【請求項１】
浴槽と外部配管により出水及び入水可能に接続され、所定温度以上の熱水を循環させて装置内部を熱洗浄する機能を備え、浴水を加熱して熱洗浄用の熱水とするヒータを備えた浴水浄化装置において、
前記外部配管の出水側と入水側を連結する連結配管と、
前記外部配管を該連結配管側または浴槽側とに切り替えを行う切替弁であって、通過する浴水温度が所定温度以上の時に前記外部配管を該連結配管側に自動的に切り替えて、前記出水側と入水側を連結する熱反応型の機械式切替弁と、
前記浴水浄化装置内に設けられ、前記浴槽と外部配管に浴水を循環させず、浄化装置内で浴水を内部循環させる循環管路と、
前記浴槽と外部配管側から循環管路側に浴水を循環させるように切替える内部循環用切替弁と、
前記内部循環用切替弁を制御して浴水を内部循環させ、該内部循環する浴水を前記ヒータにより加熱させ、浴水が所定温度に加熱されたら前記内部循環用切替弁を制御して内部循環を停止し、前記浴槽と外部配管側に加熱された浴水を循環させるように制御する制御装置と、を備え、
前記熱反応型の機械式切替弁は、前記所定温度に加熱された浴水の温度により、前記連結配管により前記出水側と入水側を連結するように自動的に切替を行う、
ことを特徴とする全水系の熱洗浄が可能な浴水浄化装置。
【請求項２】
浴槽と外部配管により出水及び入水可能に接続され、浴水を該浴槽、外部配管、装置内部に循環させる浄化循環路と、所定温度以上の熱水を循環させて装置内部を熱洗浄する機能とを備え、該熱水を蓄える蓄熱タンクと、浴水を加熱して熱洗浄用の熱水とするヒータを備えた浴水浄化装置において、
前記外部配管の出水側と入水側を連結する連結配管と、
該連結配管を前記外部配管を該連結配管側または浴槽側とに切り替えを行う切替弁であって、通過する浴水温度が所定温度以上の時に前記外部配管を該連結配管側に自動的に切り替えて、前記出水側と入水側を連結する熱反応型の機械式切替弁と、
前記浴水浄化装置内に設けられ、前記蓄熱タンクの熱水を前記浄化循環路に導くための熱水導入用切替弁と、
前記熱水導入用切替弁を制御して、前記浴槽と外部配管側に熱水を循環させるように制御する、制御装置と、を備え、
前記熱反応型機械式切替弁は、前記蓄熱タンクの熱水により、前記連結配管により前記出水側と入水側を連結するように自動的に切替を行う、
ことを特徴とする全水系の熱洗浄が可能な浴水浄化装置。
【発明の詳細な説明】
【０００１】
【発明の属する技術分野】
この発明は、浴水浄化装置に関する。
【０００２】
【従来の技術】
浴槽の浴水をポンプなどにより循環させ、浴水を濾過し、又これに加えて、殺菌する浴水浄化装置が近年普及している。
この浴水浄化装置において、装置内部に所定温度以上の熱水を循環させて、内部を熱洗浄する機能を備えたものが本願出願人により開発され、提案されている。
【０００３】
【発明が解決しようとする課題】
しかし上記した熱洗浄は、浄化装置本体のみを洗浄するものであるため、浴水浄化装置を戸外など、浴槽から離れた位置に設けて、この間を出水外部配管と入水外部配管で連結したタイプ等の場合には、これら外部配管の洗浄ができない問題があり、従来より改善が望まれていた。
本発明は上記従来技術の欠点を改善することを目的とする。
【０００４】
【課題を解決するための手段】
上記目的を達成するために、本発明は、浴槽と外部配管により出水及び入水可能に接続され、所定温度以上の熱水を循環させて装置内部を熱洗浄する機能を備え、浴水を加熱して熱洗浄用の熱水とするヒータを備えた浴水浄化装置において、前記外部配管の出水側と入水側を連結する連結配管と、前記外部配管を該連結配管側または浴槽側とに切り替えを行う切替弁であって、通過する浴水温度が所定温度以上の時に前記外部配管を該連結配管側に自動的に切り替えて、前記出水側と入水側を連結する熱反応型の機械式切替弁と、前記浴水浄化装置内に設けられ、前記浴槽と外部配管に浴水を循環させず、浄化装置内で浴水を内部循環させる循環管路と、前記浴槽と外部配管側から循環管路側に浴水を循環させるように切替える内部循環用切替弁と、前記内部循環用切替弁を制御して浴水を内部循環させ、該内部循環する浴水を前記ヒータにより加熱させ、浴水が所定温度に加熱されたら前記内部循環用切替弁を制御して内部循環を停止し、前記浴槽と外部配管側に加熱された浴水を循環させるように制御する制御装置と、を備え、前記熱反応型の機械式切替弁は、前記所定温度に加熱された浴水の温度により、前記連結配管により前記出水側と入水側を連結するように自動的に切替を行う、ことを特徴とする。
以上の構成により、熱洗浄の際に外部配管の出水側と入水側とを連結することにより、外部配管の熱洗浄も行うことができ、全水系の熱洗浄が実現できる。該切替弁として熱反応型の機械式切替弁を使用することにより、通信制御手段等を不要とすることが可能である。また、電気的な安全性を図ることができ、コスト低減も実現できる効果がある。
【０００５】
【発明の実施の形態】
以下本発明の実施の形態を図面に基づいて説明する。
図１において、この浴水浄化装置は戸外に置かれており、室内の循環管路５と出水外部配管１及び入水外部配管２とにより連結されている。
循環ポンプＰにより、出水外部配管１を介して浴槽７内の浴水を吸引し、ヒータＨにおいて所定温度に加熱し、濾過タンクＴにおいて濾過した上で内部循環用切替バルブＶ１と排水用切替バルブＶ２を経由して入水外部配管２から浴槽７へと戻されるように構成されている。内部の管路には温度センサ３が設けられており、通過する浴水の温度を検出するようになっている。
内部循環用切替バルブＶ１には循環管路５が接続しており、内部循環用切替バルブＶ１を切り替えることにより浴水を内部に循環させることができるようになっている。また、排水用切替バルブＶ２には排出管路６が接続し、排水用切替バルブＶ２の切替により、浴水を排出できるように構成されている。
【０００６】
出水外部配管１と入水外部配管２の間にはメカ式バルブＭ・Ｂを介して連結配管４が設けられており、熱洗浄の時に出水外部配管１と入水外部配管２の間を連結できるようになっている。メカ式バルブＭ・Ｂはこの実施形態では熱感応式のものを用いており、通過する浴水が所定温度以上になると入水外部配管２から連結配管４へと浴水の流れを切り替え、所定温度以下になると連結配管４側を閉じて、入水外部配管２から浴槽７へと浴水を流すように構成されている。
メカ式バルブＭ・Ｂとしてはサーモエレメントや形状記憶合金を使用したもの等が適用可能である。
【０００７】
図５に制御装置のブロック図を示す。マイクロコンピュータ等を主体に構成された制御装置１０により全体の制御が行われており、メモリ１１には種々のプログラムやデータなどが記憶されている。運転キー１２は浴槽７側に設けられており、ユーザが種々の指令を操作できるようになっている。制御装置１０は該指令に応じて循環ポンプＰ、ヒータＨを制御し、また内部循環用切替バルブＶ１、排水用切替バルブＶ２の切り替え制御を行うように構成されている。また、適宜表示装置１４により各種の表示を行い、ブザー１５により警告を発するように構成されている。
熱洗浄キー１３は熱洗浄を行わせるためのもので、この熱洗浄キー１３を操作することにより、内部循環用切替バルブＶ１を切り替えて熱洗浄を行わせるようになっている。
図２から明らかなように、メカ式バルブＭ・Ｂは制御装置１０と接続されていない。
【０００８】
図２乃至図４及び図６により熱洗浄動作を説明する。
ユーザが熱洗浄キー１３を操作すると、制御装置１０は内部循環用切替バルブＶ１を切り替えて図２に示すように浴水を循環管路５を介して循環させる（ステップＳ１）。この循環中にヒータＨにより循環浴水が加熱され、制御装置１０が温度センサ３により所定温度まで加熱されたことを検出したら（ステップＳ２）、内部循環用切替バルブＶ１を切り替え元に戻し、図３に示すように浴水を入水外部配管２側に送るようにする（ステップＳ３）。高温の浴水がメカ式バルブＭ・Ｂを通過すると、メカ式バルブＭ・Ｂは該熱に反応して切り替え動作を行い浴水を連結配管４側に流す。これにより図３に示すように出水外部配管１、循環ポンプＰ、ヒータＨ、濾過タンクＴ、温度センサ３、内部循環用切替バルブＶ１、排水用切替バルブＶ２、入水外部配管２、連結配管４、出水外部配管１と高温の浴水が循環し、出水外部配管１と入水外部配管２を含めた全水系の熱洗浄が実行される。
【０００９】
ユーザの熱洗浄キー１３の操作或いは所定時間の経過により制御装置１０は熱洗浄を停止し（ステップＳ４）、排水用切替バルブＶ２を排出管路６側に切り替え（ステップＳ５）、熱洗浄に用いた洗浄水を排出管路６から系外に排出する（ステップＳ６）。そして、再び排水用切替バルブＶ２を元に戻し、図１の状態の戻して、浴水を循環させる（ステップＳ７）。この循環する浴水は通常の温度であるため、メカ式バルブＭ・Ｂは元の状態に戻り、浴水を浴槽７に流して通常の運転に復帰する。
【００１０】
以上のようにメカ式バルブＭ・Ｂは熱感応式の機械的切り替えバルブであるため、通過する浴水の温度により自動的に循環管路５側と連結配管４側の接続に選択的に切り替わる。そのため、特別な制御等を必要とせず、また防水などの電気的な安全対策も不要である。
【００１１】
第７図に他の実施形態を示す。ここでは、蓄熱タンク９を備え、この蓄熱タンク９からの高温水により熱洗浄を行うようになっている。
図７に示すように、通常は内部循環用切替バルブＶ１は排水用切替バルブＶ２側に開いており、蓄熱タンク９からは熱水は供給されない。熱洗浄時には図８に示すように排水用切替バルブＶ２を切り替えて蓄熱タンク９から高温水を供給し、図９に示すようにメカ式バルブＭ・Ｂが高温水により連結配管４側に切り替わることにより、図１０に示すように熱循環洗浄が開始される。そして、排水用切替バルブＶ２を排出管路６側に切り替えることにより排水が行われ、排水用切替バルブＶ２を再び図７の状態に戻すと、メカ式バルブＭ・Ｂが浴槽７側に切り替わり、通常の運転に復帰する。
【００１２】
【発明の効果】
以上説明したように本発明の浴水浄化装置によれば、外部配管を含めて熱洗浄を行える効果がある。また、メカ式バルブＭ・Ｂを用いることにより、格別な通信制御を負荷することがなく、また電気的な安全対策も不要であるため、コスト低減を図ることができる等の効果がある。
【図面の簡単な説明】
【図１】本発明の一実施形態を示す概略図。
【図２】本発明の一実施形態の動作説明図。
【図３】本発明の一実施形態の動作説明図。
【図４】本発明の一実施形態の動作説明図。
【図５】本発明の一実施形態の制御装置のブロック図。
【図６】本発明の一実施形態の動作を説明するフローチャート図。
【図７】本発明の他の実施形態を示す概略図。
【図８】本発明の他の実施形態の動作説明図。
【図９】本発明の他の実施形態の動作説明図。
【図１０】本発明の他の実施形態の動作説明図。
【図１１】本発明の他の実施形態の動作説明図。
【符号の説明】
１：出水外部配管、２：入水外部配管、３：温度センサ、４：連結配管、５：循環管路、６：排出管路、７：浴槽、９：蓄熱タンク、１０：制御装置、１１：メモリ、１２：運転キー、１３：熱洗浄キー、１４：表示装置、１５：ブザー、Ｐ：循環ポンプ、Ｔ：濾過タンク、Ｖ１：内部循環用切替バルブ、Ｖ２：排水用切替バルブ、Ｈ：ヒータ、Ｍ・Ｂ：メカ式バルブ。
【図１】
0003884559.tif 000002
【図２】
0003884559.tif 000003
【図３】
0003884559.tif 000004
【図４】
0003884559.tif 000005
【図５】
0003884559.tif 000006
【図６】
0003884559.tif 000007
【図７】
0003884559.tif 000008
【図８】
0003884559.tif 000009
【図９】
0003884559.tif 000010
【図１０】
0003884559.tif 000011
【図１１】
0003884559.tif 000012